(57)【特許請求の範囲】
【請求項１】
薄い合成樹脂製のシートで上方に開口した袋状に形成され、分別した分別ゴミを内部に収容する分別ゴミ収容袋であって、
分別ゴミ収容袋本体の開口縁には、複数の結び片が形成されるように、前記開口縁より正面及び背面にそれぞれ下方へ略コ字状、略Ｕ字状又は略Ｖ字状にミシン目によって切り込んだ複数の切り込み片が設けられており、
前記各切り込み片は、
前記分別ゴミ収容袋本体の開口縁から分別ゴミを投入する際に前記ミシン目によって前記開口縁に連結されている一方、
前記開口縁を閉じる際に前記結び片同士による結わえが可能となるように前記開口縁より前記ミシン目に沿って切り離されて前記結び片同士による結わえを可能にしているとともに、
前記開口縁より正面及び背面にそれぞれ下方へ略コ字状、略Ｕ字状又は略Ｖ字状にミシン目によって各々切り込んだ浅深２種類の深切り込み片及び浅切り込み片を備え、前記開口縁を閉じる際に内部に収容された分別ゴミの量に応じて、前記浅切り込み片又は前記深切り込み片のいずれか一方が前記ミシン目に沿って切り離されていることを特徴とする分別ゴミ収容袋。
【請求項２】
前記浅深２種類の浅切り込み片及び深切り込み片を各々切り込むミシン目のうち、前記深切り込み片を切り込むミシン目は、前記浅切り込み片を切り込むミシン目に比して、前記開口縁から前記深切り込み片が切り離し難くなるように粗く設定されている請求項１に記載の分別ゴミ収容袋。
【請求項３】
前記深切り込み片を切り込むミシン目は、前記浅切り込み片を切り込むミシン目に対し交叉することなく当該ミシン目の外周囲側に離間して設けられている請求項１又は請求項２に記載の分別ゴミ収容袋。
【発明の詳細な説明】
【技術分野】
【０００１】
本発明は、分別したゴミを内部に収容する分別ゴミ収容袋に関する。
【背景技術】
【０００２】
この種の分別ゴミ収容袋としては、薄い合成樹脂製のシートで上方に開口した袋状に形成され、分別した分別ゴミを内部に収容するようにしたものがある（例えば、特許文献１参照）。
【０００３】
このものでは、内部に分別ゴミを収容した分別ゴミ収容袋の開口縁を閉じる手段がなく、各自が開口縁を引き延ばして無理に結わえたり、別途紐を用いて縛ったりして、開口縁を閉じていた。しかし、このように開口縁を閉じていると、人によっては結わえや縛りが不十分となり易く、ゴミ置き場に分別ゴミ収容袋を廃棄した際に開口縁が不慮に開いてしまうことがある。
【０００４】
そこで、上方に開口する袋状の分別ゴミ収容袋の開口縁に、複数の結び片を設けたものが提案されている（例えば、特許文献２参照）。この各結び片は、分別ゴミ収容袋の開口縁の周方向等間隔置きの複数箇所においてそれぞれ下方へ略コ字状に切り込んで形成され、万人が同じ手法で開口縁を確実に閉じてゴミ置き場に分別ゴミ収容袋を廃棄した際の開口縁の不慮の開きを確実に防止している。
【先行技術文献】
【特許文献】
【０００５】
【特許文献１】特開２０００−２１２４７７号公報
【特許文献２】特開２００５−８２２２１号公報
【発明の概要】
【発明が解決しようとする課題】
【０００６】
ところが、前記提案のものでは、各結び片を設けるに当たり、開口縁より下方へ略コ字状に切り込んで形成されているために、開口縁が下方に位置している。このため、この下方に位置する開口縁より複数の結び片が上方へ突出し、分別ゴミ収容袋に分別ゴミを投入する際に、各結び片が邪魔になって分別ゴミが投入し難い上、下方に位置する開口縁から分別ゴミがこぼれ落ちるおそれがあり、その対策が切望されていた。
【０００７】
本発明は、かかる点に鑑みてなされたものであり、その目的とするところは、廃棄した際の開口縁の不慮の開きが確実に防止しつつ、分別ゴミを投入する際に投入し易くかつこぼれ落ち難い分別ゴミ収容袋を提供することにある。
【課題を解決するための手段】
【０００８】
前記目的を達成するため、本発明が講じた解決手段は、薄い合成樹脂製のシートで上方に開口した袋状に形成され、分別した分別ゴミを内部に収容する分別ゴミ収容袋を前提とする。そして、分別ゴミ収容袋本体の開口縁に、複数の結び片が形成されるように、前記開口縁より正面及び背面にそれぞれ下方へ略コ字状、略Ｕ字状又は略Ｖ字状にミシン目によって切り込んだ複数の切り込み片を設ける。更に、前記各切り込み片を、前記分別ゴミ収容袋本体の開口縁から分別ゴミを投入する際に前記ミシン目によって前記開口縁に連結する一方、前記開口縁を閉じる際に前記結び片同士による結わえが可能となるように前記開口縁より前記ミシン目に沿って切り離すことを特徴としている。
【０００９】
更に、前記各切り込み片は、前記開口縁より正面及び背面にそれぞれ下方へ略コ字状、略Ｕ字状又は略Ｖ字状にミシン目によって各々切り込んだ浅深２種類の浅切り込み片及び深切り込み片を備える。そして、前記開口縁を閉じる際に内部に収容された分別ゴミの量に応じて、前記浅切り込み片及び前記深切り込み片のいずれか一方を前記ミシン目に沿って切り離すことを特徴としている。
【００１０】
また、前記浅深２種類の浅切り込み片及び深切り込み片を各々切り込むミシン目のうち、前記深切り込み片を切り込むミシン目を、前記浅切り込み片を切り込むミシン目に比して、前記開口縁から前記深切り込み片が切り離し難くなるように粗く設定することがこのましい。
【００１１】
更に、前記深切り込み片を切り込むミシン目を、前記浅切り込み片を切り込むミシン目に対し交叉することなく当該ミシン目の外周囲側に離間して設けることがこのましい。
【発明の効果】
【００１２】
以上、要するに、分別ゴミ収容袋本体の開口縁においてそれぞれ下方へ略コ字状、略Ｕ字状又は略Ｖ字状にミシン目によって切り込んだ複数の切り込み片を設け、分別ゴミを投入する際に各切り込み片をミシン目によって開口縁に連結しておくことで、各結び片が邪魔とならずに分別ゴミを開口縁から投入し易くすることができる上、開口縁が下方に位置することなく分別ゴミのこぼれ落ちを確実に防止することができる。更に、開口縁を閉じる際に各切り込み片をミシン目に沿って開口縁より切り離すことで、結び片同士による結わえが可能となり、ゴミ置き場に分別ゴミ収容袋を廃棄した際の開口縁の不慮の開きを確実に防止することができる。
【００１３】
また、各切り込み片は、開口縁よりミシン目によって各々切り込んだ浅深２種類の浅切り込み片及び深切り込み片を備え、開口縁を閉じる際に内部に収容された分別ゴミの量に応じて、浅切り込み片及び深切り込み片のいずれか一方をミシン目に沿って切り離すことで、内部に収容された分別ゴミの量に応じて浅切り込み片又は深切り込み片を切り離した長い結び片同士又は短い結び片同士による結わえを分別ゴミの量に応じて確実に行うことができる。
【００１４】
また、浅切り込み片を切り込むミシン目に比して深切り込み片を切り込むミシン目を粗く設定して開口縁から深切り込み片を切り離し難くすることで、内部に大量の分別ゴミが収容された際にミシン目に沿って深切り込み片を誤って切り離してしまうことが防止され、浅切り込み片をミシン目に沿って簡単に切り離すことができる。
【００１５】
更に、深切り込み片を切り込むミシン目を、浅切り込み片を切り込むミシン目に対し交叉することなく当該ミシン目の外周囲側に離間して設けることで、浅切り込み片及び深切り込み片のいずれか一方を切り離す際に誤って双方に跨って切り離してしまうことが防止され、浅切り込み片又は深切り込み片を円滑に切り離すことができる。
【図面の簡単な説明】
【００１６】
【図１】本発明の実施の形態に係る分別ゴミ収容袋を正面から見た正面図である。
【図２】図１の分別ゴミ収容袋を右側方から見た右側面図である。
【図３】図１の分別ゴミ収容袋を上方から見た平面図である。
【図４】図１の分別ゴミ収容袋を下方から見た底面図である。
【図５】図１の分別ゴミ収容袋を正面側から見た斜視図である。
【図６】図５の分別ゴミ収容袋の開口縁より浅切り込み片を密ミシン目に沿って切り離した状態の斜視図である。
【図７】図５の分別ゴミ収容袋の開口縁より深切り込み片を粗ミシン目に沿って切り離した状態の斜視図である。
【図８】本実施の形態の変形例に係る分別ゴミ収容袋を正面から見た正面図である。
【図９】図８の分別ゴミ収容袋を右側方から見た右側面図である。
【図１０】図８の分別ゴミ収容袋を上方から見た平面図である。
【図１１】図８の分別ゴミ収容袋を下方から見た底面図である。
【図１２】図８の分別ゴミ収容袋を正面側から見た斜視図である。
【図１３】本実施の形態のその他の変形例に係る分別ゴミ収容袋を正面から見た正面図である。
【図１４】図１３の分別ゴミ収容袋を右側方から見た右側面図である。
【図１５】図１３の分別ゴミ収容袋を上方から見た平面図である。
【図１６】図１３の分別ゴミ収容袋を下方から見た底面図である。
【図１７】図１３の分別ゴミ収容袋を正面側から見た斜視図である。
【発明を実施するための形態】
【００１７】
以下、添付図面を参照しながら、本発明の実施の形態について説明し、本発明の理解に供する。なお、以下の実施の形態は、本発明を具体化した一例であって、本発明の技術的範囲を限定する性格のものではない。
【００１８】
図１は本発明の実施の形態に係る分別ゴミ収容袋を正面から見た正面図、図２は分別ゴミ収容袋を右側方から見た右側面図、図３は分別ゴミ収容袋を上方から見た平面図、図４は分別ゴミ収容袋を下方から見た底面図、図５は分別ゴミ収容袋を正面側から見た斜視図をそれぞれ示している。なお、分別ゴミ収容袋を背面から見た背面図は、分別ゴミ収容袋を正面から見た正面図と同一に表れ、分別ゴミ収容袋を左側方から見た左側面図は、分別ゴミ収容袋を右側方から見た右側面図と同一に表れる。
【００１９】
図１〜図５において、１は本発明の第１の実施の形態に係る分別ゴミ収容袋であって、この分別ゴミ収容袋１は、分別した分別ゴミを内部に収容するために供される。また、分別ゴミ収容袋１は、高密度ポリエチレン製（薄い合成樹脂）のシートで上方に開口した袋状に形成された分別ゴミ収容袋本体１０を備えている。
【００２０】
そして、分別ゴミ収容袋本体１０の開口縁１１には、４つの結び片１４，１４，…が形成されるように、開口縁１１より正面及び背面にそれぞれ下方へ略Ｕ字状にミシン目１２によって切り込んだ４つの切り込み片１３，１３，…が設けられている。この各切り込み片１３は、開口縁１１の周方向等間隔置きの４箇所において形成され、開口縁１１の周方向等間隔置きの４箇所を下方に切り欠いた残る部分に上方へ突出する４つの結び片１４，１４，…が現れる。
【００２１】
図６は分別ゴミ収容袋１の開口縁１１より浅切り込み片を密ミシン目に沿って切り離した状態の斜視図、図７は分別ゴミ収容袋１の開口縁１１より深切り込み片を粗ミシン目に沿って切り離した状態の斜視図をそれぞれ示している。この図６及び図７にも示すように、各切り込み片１３は、開口縁１１より正面及び背面にそれぞれ下方へ粗密２種類の略Ｕ字状のミシン目１２１，１２２によって各々切り込んだ浅深２種類の浅切り込み片１３１及び深切り込み片１３２を備えている。そして、浅切り込み片１３１及び深切り込み片１３２のいずれか一方は、開口縁１１を閉じる際に内部に収容された弁別ゴミの量に応じて該当する密ミシン目１２１（又は粗ミシン目１２２）に沿って切り離される。このとき、浅切り込み片１３１及び深切り込み片１３２のいずれか一方が開口縁１１より密ミシン目１２１又は粗ミシン目１２２に沿って切り離されると、長短２種類ずつの４つの結び片１４１，１４２が現れる。この場合、短結び片１４１，１４１（又は長結び片１４２，１４２）同士の結わえが開口縁１１の周方向に１つ飛ばして行われると、開口縁１１が閉じ易くなるが、これに限らず、互いに隣接する短結び片１４１，１４１（又は長結び片１４２，１４２）同士が互いに結えられていてもよい。この場合、浅切り込み片１３１又は深切り込み片１３２は、密ミシン目１２１又は粗ミシン目１２２に沿って切り離されると、分別ゴミ収容袋本体１０の一部として分別ゴミ収容袋１の内部に廃棄される。
【００２２】
また、浅切り込み片１３１及び深切り込み片１３２を各々切り込む粗密２種類のミシン目１２１，１２２のうち、深切り込み片１３２を切り込む粗ミシン目１２２は、浅切り込み片１３１を切り込む密ミシン目１２１に比して、開口縁１１から深切り込み片１３２が切り離し難くなるように目が粗く設定されている。更に、粗ミシン目１２２は、密ミシン目１２１に対し交叉することなく当該密ミシン目１２１の外周囲側に離間して設けられている。
【００２３】
ここで、分別ゴミ収容袋１のサイズにつて詳細に説明する。
この分別ゴミ収容袋１は、３０リットルの分別ゴミを収容可能とする３０Ｌタイプのものであり、縦７００ｍｍ、横５００ｍｍに設定されている。浅切り込み片１３１は開口縁１１から１５４ｍｍ下方へ切り込まれ、互いに隣接する浅切り込み片１３１，１３１同士の開口縁１１での離間距離は１１６ｍｍに設定されている。一方、深切り込み片１３２は開口縁１１から浅切り込み片１３１よりも３９ｍｍさらに下方へ切り込まれ、粗ミシン目１２２が密ミシン目１２１に対し交叉することなく当該密ミシン目１２１の外周囲側において平行に設けられている。
【００２４】
したがって、本実施の形態では、分別ゴミ収容袋本体１０の開口縁１１においてそれぞれ下方へ略Ｕ字状にミシン目１２によって切り込んだ４つの切り込み片１３を設け、分別ゴミを投入する際に各切り込み片１３がミシン目１２によって開口縁１１に連結されているので、各結び片１４が邪魔とならずに分別ゴミを開口縁１１から投入し易くすることができる上、開口縁１１が下方に位置することなく分別ゴミのこぼれ落ちを確実に防止することができる。更に、開口縁１１を閉じる際に各切り込み片１３がミシン目１２に沿って開口縁１１より簡単に切り離され、結び片１４同士による結わえが可能となり、ゴミ置き場に分別ゴミ収容袋１を廃棄した際の開口縁１１の不慮の開きを確実に防止することができる。
【００２５】
また、各切り込み片１３は、開口縁１１より粗密２種類のミシン目１２１，１２２によって各々切り込んだ浅深２種類の浅切り込み片１３１及び深切り込み片１３２を備え、開口縁１１を閉じる際に内部に収容された分別ゴミの量に応じて、浅切り込み片１３１及び深切り込み片１３２のいずれか一方が密ミシン目１２１又は粗ミシン目１２２に沿って切り離されるので、内部に収容された分別ゴミの量に応じて浅切り込み片１３１又は深切り込み片１３２を切り離した短結び片１４１同士又は長結び片１４２同士による結わえを分別ゴミの量に応じて確実に行うことができる。
【００２６】
また、深切り込み片１３２を切り込む粗ミシン目１２２が浅切り込み片１３１を切り込む密ミシン目１２１に比して粗く設定されて、開口縁１１から深切り込み片１３２が切り離し難くなっているので、内部に大量の分別ゴミが収容された際に粗ミシン目１２２に沿って深切り込み片１３２を誤って切り離してしまうことが防止され、浅切り込み片１３１を密ミシン目１２１に沿って簡単に切り離すことができる。
【００２７】
更に、粗ミシン目１２２が、密ミシン目１２１に対し交叉することなく当該密ミシン目１２１の外周囲側に離間して設けられているので、浅切り込み片１３１及び深切り込み片１３２のいずれか一方を切り離す際に誤って双方に跨って切り離してしまうことが防止され、浅切り込み片１３１又は深切り込み片１３２を円滑に切り離すことができる。
【００２８】
なお、本実施の形態では、開口縁１１より正面及び背面にそれぞれ下方へ略Ｕ字状に切り込んだ４つの切り込み片１３，１３，…を設けたが、図８〜図１２に示すように、分別ゴミ収容袋２の分別ゴミ収容袋本体２０の開口縁２１に、４つの結び片２４，２４，…が形成されるように、開口縁２１より正面及び背面にそれぞれ下方へ略Ｖ字状にミシン目２２によって切り込んだ４つの切り込み片２３，２３，…が設けられていてもよい。各切り込み片２３は、開口縁２１より正面及び背面にそれぞれ下方へ粗密２種類の略Ｖ字状のミシン目２２１，２２２によって各々切り込んだ浅深２種類の浅切り込み片２３１及び深切り込み片２３２を備えている。そして、浅切り込み片２３１及び深切り込み片２３２のいずれか一方は、開口縁２１を閉じる際に内部に収容された分別ゴミの量に応じて該当する密ミシン目２２１（又は粗ミシン目２２２）に沿って切り離される。このとき、浅切り込み片２３１及び深切り込み片２３２のいずれか一方が開口縁２１より密ミシン目２２１又は粗ミシン目２２２に沿って切り離されると、長短２種類ずつの４つの結び片２４１，２４２が現れる。また、浅切り込み片２３１及び深切り込み片２３２を各々切り込む粗密２種類のミシン目２２１，２２２のうち、浅切り込み片２３１を切り込む密ミシン目２２１に比して深切り込み片２３２を切り込む粗ミシン目２２２の目が粗く設定されて、開口縁２１から深切り込み片２３２が切り離し難くなるようにしている。更に、粗ミシン目２２２は、密ミシン目２２１に対し交叉することなく当該密ミシン目２２１の外周囲側に離間して設けられている。この場合においても、本実施の形態と同一の作用効果を奏することができる。また、分別ゴミ収容袋２を背面から見た背面図は、分別ゴミ収容袋を正面から見た正面図と同一に表れ、分別ゴミ収容袋を左側方から見た左側面図は、分別ゴミ収容袋を右側方から見た右側面図と同一に表れる。
【００２９】
これに対し、図１３〜図１７に示すように、分別ゴミ収容袋３の分別ゴミ収容袋本体３０の開口縁３１に、４つの結び片３４，３４，…が形成されるように、開口縁３１より正面及び背面にそれぞれ下方へ略コ字状にミシン目３２によって切り込んだ４つの切り込み片３３，３３，…が設けられていてもよい。各切り込み片３３は、開口縁３１より正面及び背面にそれぞれ下方へ粗密２種類の略コ字状のミシン目３２１，３２２によって各々切り込んだ浅深２種類の浅切り込み片３３１及び深切り込み片３３２を備えている。そして、浅切り込み片３３１及び深切り込み片３３２のいずれか一方は、開口縁３１を閉じる際に内部に収容された分別ゴミの量に応じて該当する密ミシン目３２１（又は粗ミシン目３２２）に沿って切り離される。このとき、浅切り込み片３３１及び深切り込み片３３２のいずれか一方が開口縁３１より密ミシン目３２１又は粗ミシン目３２２に沿って切り離されると、長短２種類ずつの４つの結び片３４１，３４２が現れる。また、浅切り込み片３３１及び深切り込み片３３２を各々切り込む粗密２種類のミシン目３２１，３２２のうち、浅切り込み片３３１を切り込む密ミシン目３２１に比して深切り込み片３３２を切り込む粗ミシン目３２２の目が粗く設定されて、開口縁３１から深切り込み片３３２が切り離し難くなるようにしている。更に、粗ミシン目３２２は、密ミシン目３２１に対し交叉することなく当該密ミシン目３２１の外周囲側に離間して設けられている。この場合においても、本実施の形態と同一の作用効果を奏することができる。また、分別ゴミ収容袋２を背面から見た背面図は、分別ゴミ収容袋を正面から見た正面図と同一に表れ、分別ゴミ収容袋を左側方から見た左側面図は、分別ゴミ収容袋を右側方から見た右側面図と同一に表れる。
【００３０】
また、本実施の形態では、分別ゴミ収容袋１として３０Ｌタイプのものを用いたが、これに限定されることはなく、１５リットル又は５０リットルの分別ゴミを収容可能とする１５Ｌタイプ、５０Ｌタイプのものなどが適用されていてもよい。１５Ｌタイプのものでは、縦５００ｍｍ、横３５０ｍｍに設定され、浅切り込み片１３１が開口縁１１から１０７ｍｍ下方へ切り込まれ、互いに隣接する浅切り込み片１３１，１３１同士の開口縁１１での離間距離は８０ｍｍに設定される一方、深切り込み片１３２が開口縁１１から浅切り込み片１３１よりも２７ｍｍさらに下方へ切り込まれる。一方、５０Ｌタイプのものでは、縦８５０ｍｍ、横６５０ｍｍに設定され、浅切り込み片１３１が開口縁１１から２００ｍｍ下方へ切り込まれ、互いに隣接する浅切り込み片１３１，１３１同士の開口縁１１での離間距離は１５０ｍｍに設定される一方、深切り込み片１３２が開口縁１１から浅切り込み片１３１よりも５０ｍｍさらに下方へ切り込まれる。
【００３１】
また、本実施の形態では、各切り込み片１３として、開口縁１１より粗密２種類のミシン目１２１，１２２によって各々切り込んだ浅深２種類の浅切り込み片１３１及び深切り込み片１３２を設けたが、開口縁より切り離し易い密ミシン目によって下方へ切り込んだ単一種類の切り込み片のみが設けられていてもよい。
【００３２】
また、本実施の形態では、分別ゴミ収容袋本体１０の開口縁１１に４つの結び片１４，１４，…を形成したが、結び片の数量はこれに限定されるものではなく、２つ以上の結び片が形成されていればよい。
【符号の説明】
【００３３】
１，２，３          分別ゴミ収容袋
１０，２０，３０    分別ゴミ収容袋本体
１１，２１，３１    開口縁
１２，２２，３２    ミシン目
１２１，２２１，３２１    密ミシン目
１２２，２２２，３２２    粗ミシン目
１３，２３，３３    切り込み片
１３１，２３１，３３１    浅切り込み片
１３２，２３２，３３２    深切り込み片
１４，２４，３４    結び片
１４１，２４１，３４１    短結び片
１４２，２４２，３４２    長結び片
【要約】
【課題】廃棄した際の開口縁の不慮の開きが確実に防止しつつ、分別ゴミを投入する際に投入し易くかつこぼれ落ち難い分別ゴミ収容袋を提供する。
【解決手段】薄い高密度ポリエチレン製のシートで上方に開口した袋状に形成され、分別した分別ゴミを内部に収容する分別ゴミ収容袋１を前提とし、分別ゴミ収容袋本体１０の開口縁１１に、４つずつの長短結び片１４１，１４２が形成されるように、開口縁１１より正面及び背面にそれぞれ下方へ略Ｕ字状の粗密２種類のミシン目１２によって切り込んだ４つずつの浅深２種類の切り込み片１３１，１３２を設ける。そして、浅深２種類の各切り込み片１３１，１３２を、分別ゴミ収容袋本体１０の開口縁１１から分別ゴミを投入する際に密ミシン目１２１又は粗ミシン目１２２によって開口縁１１に連結しておく一方、開口縁１１を閉じる際に短結び片１４１同士又は長結び片１４２による結わえが可能となるように開口縁１１より密ミシン目１２１又は粗ミシン目１２２に沿って切り離す。
【選択図】図５【図１】
0005631514.tif 000002
【図２】
0005631514.tif 000003
【図３】
0005631514.tif 000004
【図４】
0005631514.tif 000005
【図５】
0005631514.tif 000006
【図６】
0005631514.tif 000007
【図７】
0005631514.tif 000008
【図８】
0005631514.tif 000009
【図９】
0005631514.tif 000010
【図１０】
0005631514.tif 000011
【図１１】
0005631514.tif 000012
【図１２】
0005631514.tif 000013
【図１３】
0005631514.tif 000014
【図１４】
0005631514.tif 000015
【図１５】
0005631514.tif 000016
【図１６】
0005631514.tif 000017
【図１７】
0005631514.tif 000018